(57)【要約】【課題】本発明は、カメラの使用状態において衝撃吸収能力を備えたレンズ鏡胴を提供する。【解決手段】実施の形態のレンズ鏡胴２０は、繰り出した状態にある前移動枠１００に、対物側から矢印Ａ方向の力が加わると、復座ばね１２４が付勢力に抗して収縮することより、その力を吸収する。したがって、デジタルカメラ１０の使用状態においてレンズ鏡胴２０に加わった衝撃を吸収することができ、カム溝９６、１０２からカムフォロアーピン９８、１０４が脱落するという不具合を解消できる。また、レンズ鏡胴２０が沈胴されていくと、駆動筒９２のカム１２６によってレンズ鏡胴２０全体を、復座ばね１２４の付勢力に抗して沈胴位置に押し込むようにした。これにより、レンズ鏡胴２０の押し込み量分だけ、カメラ本体１２を薄型にできるので、デジタルカメラ１０の携帯性が向上する。【選択図】      図５
2007310073.tif 000002
【特許請求の範囲】
【請求項１】
レンズを保持したレンズ保持枠と、該レンズ保持枠に設けられたカムフォロアと係合されレンズ保持枠に撮影光軸方向の駆動力を与えるカム溝が形成されたカム筒とを備えたレンズ鏡胴において、
前記レンズ鏡胴が付勢部材を介して被写体側に付勢され、前記レンズ鏡胴に加わった被写体側からの力が前記付勢部材によって吸収されることを特徴とするレンズ鏡胴。
【請求項２】
前記レンズ鏡胴は、カメラ本体に収納される沈胴位置とカメラ本体から被写体側に突出される繰り出し位置との範囲で移動される沈胴／繰り出し式のレンズ鏡胴であり、前記付勢部材は、前記レンズ鏡胴と前記カメラ本体との間に介在されていることを特徴とする請求項１に記載のレンズ鏡胴。
【請求項３】
前記レンズ鏡胴には、前記レンズ鏡胴が沈胴されていくと、前記付勢部材の付勢力に抗してレンズ鏡胴を沈胴位置に押し込む駆動部材が設けられていることを特徴とする請求項２に記載のレンズ鏡胴。
【請求項４】
前記レンズ鏡胴は、前記カム筒を回転自在に支持する鏡胴本体を有し、該鏡胴本体が前記付勢部材によって被写体側に付勢されることにより、鏡胴本体とカメラ基板との間に放熱用の間隙が形成されることを特徴とする請求項１、２又は３のうちいずれか一つに記載のレンズ鏡胴。
【請求項５】
前記付勢部材は、前記鏡胴本体に固体撮像素子を押圧固定する押圧部材と一体形成されていることを特徴とする請求項４に記載のレンズ鏡胴。
【発明の詳細な説明】
【技術分野】
【０００１】
本発明はレンズ鏡胴に係り、特にカメラ本体に対して沈胴及び繰り出しが可能なレンズ鏡胴に関する。
【背景技術】
【０００２】
特許文献１〜３の如く、カメラの薄型化に有利な沈胴繰り出し式のレンズ鏡胴は、複数の筒型部材を組み合わせて構成されている。このレンズ鏡胴は、カメラ使用状態ではカメラ本体から被写体側に繰り出され、レンズを適切な位置に位置させてその光学性能を得ている。また、カメラ未使用状態ではレンズ間の間隔が最小となるようにカメラ本体に沈胴され、携帯性のよい形態となる。
【０００３】
ところで、このようなレンズ鏡胴には、モーターの駆動や回転操作によりレンズを撮影光軸に沿って移動させるカム機構が内蔵されている。レンズはカムフォロアーピンを有するレンズ保持枠に保持され、レンズ保持枠はカム筒に嵌挿されるとともに、このカム筒のカム溝に前記カムフォロアーピンが係合されている。カムフォロアーピンがカム筒の回転によってカム溝内を摺動すると、レンズ保持枠は直進ガイドによって撮影光軸方向に前後移動する。
【特許文献１】特開平８−１１０４５４号公報
【特許文献２】特開２０００−２９２８４３号公報
【特許文献３】特開２００６−１１０１８号公報
【発明の開示】
【発明が解決しようとする課題】
【０００４】
ところで、カムフォロアーピンをカム溝に嵌合させてレンズを移動させる沈胴繰り出し式のレンズ鏡胴は、繰り出している鏡胴に被写体側から強い衝撃が加わると、レンズの位置を決定しているカム溝からカムフォロアーピンが脱落し、動作不能に陥るという欠点があった。
【０００５】
本発明は、このような事情に鑑みてなされたもので、カメラの使用状態において衝撃吸収能力を備えたレンズ鏡胴を提供することを目的とする。
【課題を解決するための手段】
【０００６】
請求項１に記載の発明は、前記目的を達成するために、レンズを保持したレンズ保持枠と、該レンズ保持枠に設けられたカムフォロアと係合されレンズ保持枠に撮影光軸方向の駆動力を与えるカム溝が形成されたカム筒とを備えたレンズ鏡胴において、前記レンズ鏡胴が付勢部材を介して被写体側に付勢され、前記レンズ鏡胴に加わった被写体側からの力が前記付勢部材によって吸収されることを特徴とする。
【０００７】
請求項１に記載の発明によれば、付勢部材を介してレンズ鏡胴を被写体側に付勢し、被写体側からレンズ鏡胴に加わった力を、付勢部材が付勢力に抗して変形することにより吸収するので、カメラの使用状態においてレンズ鏡胴に加わった衝撃を吸収することができ、カム溝からカムフォロアが脱落するという不具合を解消できる。
【０００８】
請求項２に記載の発明は、請求項１において、前記レンズ鏡胴は、カメラ本体に収納される沈胴位置とカメラ本体から被写体側に突出される繰り出し位置との範囲で移動される沈胴／繰り出し式のレンズ鏡胴であり、前記付勢部材は、前記レンズ鏡胴と前記カメラ本体との間に介在されていることを特徴とする。
【０００９】
請求項２に記載の発明によれば、沈胴／繰り出し式のレンズ鏡胴を対象とし、レンズ鏡胴が繰り出したカメラ使用時において、その繰り出したレンズ鏡胴に被写体側から加わった力を、レンズ鏡胴とカメラ本体との間に介在された付勢部材によって吸収する。
【００１０】
請求項３に記載の発明は、請求項２において、前記レンズ鏡胴には、前記レンズ鏡胴が沈胴されていくと、前記付勢部材の付勢力に抗してレンズ鏡胴を沈胴位置に押し込む駆動部材が設けられていることを特徴とする。
【００１１】
請求項３に記載の発明によれば、レンズ鏡胴が沈胴されていくと、レンズ鏡胴は駆動部材により、付勢部材の付勢力に抗して沈胴位置に押し込まれる。この押し込み量分だけ、カメラ本体を薄型にできるので、カメラの携帯性が向上する。
【００１２】
駆動部材としては、レンズ鏡胴を構成する回転部材に、例えばカム部材を形成し、回転部材が沈胴終端位置の近傍まで回転された際に、前記カム部材が、例えばカメラ本体の任意の部材に係合し、そして、回転部材が沈胴終端位置に回転された際に、その任意の部材を乗り上げるように構成することにより、前記押し込み動作を達成できる。
【００１３】
請求項４に記載の発明は、請求項１、２又は３において、前記レンズ鏡胴は、前記カム筒を回転自在に支持する鏡胴本体を有し、該鏡胴本体が前記付勢部材によって被写体側に付勢されることにより、鏡胴本体とカメラ基板との間に放熱用の間隙が形成されることを特徴とする。
【００１４】
請求項４に記載の発明によれば、鏡胴本体が付勢部材によって被写体側に付勢されることにより、鏡胴本体とカメラ基板との間に放熱用の間隙が形成される。
【００１５】
カメラ基板として、液晶モニタが搭載された基板は、カメラの使用時に特に発熱するため、この熱を、前記間隙を介して外部に放熱することにより、基板やレンズ鏡胴に対する熱の影響を無くすことができる。なお、沈胴／繰り出し式のレンズ鏡胴の場合、沈胴時には前記間隙は無くなるが、沈胴時はカメラ不使用時のため熱に対する問題は無い。
【００１６】
請求項５に記載の発明は、請求項４において、前記付勢部材は、前記鏡胴本体に固体撮像素子を押圧固定する押圧部材と一体形成されていることを特徴とする。
【００１７】
請求項５に記載の発明によれば、付勢部材は、鏡胴本体に固体撮像素子を押圧固定する押圧部材と付勢部材とを一体形成したので、部品点数、組立工数を削減できる。
【発明の効果】
【００１８】
本発明に係るレンズ鏡胴によれば、付勢部材を介してレンズ鏡胴を被写体側に付勢し、被写体側からレンズ鏡胴に加わった力を、付勢部材が付勢力に抗して変形することにより吸収するので、カメラの使用状態においてレンズ鏡胴に加わった衝撃を吸収することができ、カム溝からカムフォロアが脱落するという不具合を解消できる。  
【００１９】
また、本発明に係るレンズ鏡胴によれば、レンズ鏡胴が沈胴されていくと、レンズ鏡胴は駆動部材により、付勢部材の付勢力に抗して沈胴位置に押し込まれるようにしたので、この押し込み量分だけ、カメラ本体を薄型にできる。
【００２０】
以上により、本発明のレンズ鏡胴によれば、カメラ使用状態では、衝撃吸収効果を持ち、未使用状態では薄型のカメラを提供できる。
【発明を実施するための最良の形態】
【００２１】
以下、添付図面に従って本発明に係るレンズ鏡胴の好ましい実施の形態について説明する。なお、以下の説明では、電子カメラであるデジタルカメラに適用した例について説明するが、本発明はこれに限定されるものではなく、銀塩カメラ、カメラ付き携帯電話機等、カム機構によって移動レンズを移動させるカメラであれば適用できる。
【００２２】
図１は、実施の形態のレンズ鏡胴が搭載されたデジタルカメラ１０を正面から見た斜視図であり、図２はデジタルカメラ１０を背面から見た斜視図である。また、図３は、デジタルカメラ１０の全体構成を示したブロック図である。
【００２３】
図１、図２の如くデジタルカメラ１０は、カメラ本体１２の前面の左側に前方に膨らんだグリップ部１４が形成され、グリップ部１４が位置するカメラ本体１２の上面には撮影ボタン１６が配置されている。この撮影ボタン１６は、グリップ部１４を把持したユーザーの右手の人指し指によって操作可能な位置に設けられている。更に、カメラ本体１２の前面の略中央部には、撮影レンズ１８を保持した沈胴／繰り出し式のレンズ鏡胴２０が前方に突出して設けられている。更にまた、カメラ本体１２の前面の右側上部には、キセノン管を有するストロボ発光部２２が設けられるとともに、カメラ本体１２の背面には図２の如く液晶モニタ２４、モード選択スイッチ２６、十字キー２７等の各種スイッチ、及びファインダ２８がそれぞれ所定の位置に設けられている。
【００２４】
このデジタルカメラ１０は、モード選択スイッチ２６を操作することによって静止画撮影、動画撮影、連続撮影（連写）の撮影動作のうち一つの撮影動作が選択される。静止画撮影動作が選択されると、撮影ボタン１６の押圧操作によって被写体が１コマ毎撮影され、動画撮影動作が選択されると、撮影ボタン１６が押されている間、動画（Motion JPEG ）撮影が可能である。連続撮影動作が選択されると、撮影ボタン１６が押されている間、連写し続け、操作ボタン１６から指を上げた瞬間の直前の数コマを撮影することができる。
【００２５】
デジタルカメラ１０は、図３の如く中央処理装置（ＣＰＵ）３０によってその全体動作が統括制御されている。 ＣＰＵ３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００２６】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００２７】
また、メモリ（ＳＤＲＡＭ）３８は、プログラムの展開領域及びＣＰＵ３０の演算作業用領域として利用されるとともに、静止及び動画の画像データや音声データの一時記憶領域として利用される。ＨＤＤ（ハードディスクドライブユニット）４０は画像データ専用の一時記憶メモリである。なお、メモリ３８とＨＤＤ４０は共用することが可能である。
【００２８】
モード選択スイッチ２６は、静止画撮影、動画撮影、連続撮影（連写）の撮影モードと再生モードとを切り替えるための操作手段である。モード選択スイッチ２６を操作して可動接片２６Ａを接点ａに接続させると、その信号がＣＰＵ３０に入力され、デジタルカメラ１０は撮影モードに設定される。また、可動接片２６Ａを接点ｂに接続させると、デジタルカメラ１０は記録済みの画像を再生する再生モードに設定される。
【００２９】
撮影ボタン１６は、撮影開始の指示を入力する操作ボタンであり、半押し時にオンになるＳ１スイッチと、全押し時にオンになるＳ２スイッチとを有する二段ストローク式のスイッチで構成されている。
【００３０】
メニュー／ＯＫキー（図２には不図示）は、液晶モニタ２４の画面上にメニューを表示させる指令を行うためのメニューボタンとしての機能と、選択内容の確定及び実行などを指令するＯＫボタンとしての機能とを兼備した操作キーである。十字キー２７は、上下左右の４方向の指示を入力する操作部であり、メニュー画面から項目を選択したり、各メニューから各種設定項目の選択を指示したりするボタンとして機能する。この十字キー２７によって静止画撮影、動画撮影、連続撮影（連写）のうち一つの撮影動作が選択され、メニュー／ＯＫキーの押圧操作により選択した撮影動作が確定される。キャンセルキー（図２には不図示）は、選択項目など所望の対象の消去や指示内容の取消し、あるいは一つ前の操作状態に戻らせる時などに使用される。
【００３１】
液晶モニタ２４は、ユーザインターフェース用表示画面としても利用され、必要に応じてメニュー情報や選択項目、設定内容などの情報が表示される。この液晶モニタ２４は液晶ディスプレイであるが、これに代えて、有機ＥＬなど他の方式の表示装置を用いることも可能である。
【００３２】
デジタルカメラ１０は、メディアソケット４６を有し、メディアソケット４６には記録メディア４８を装着することができる。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００３３】
メディアコントローラ５０は、メディアソケット４６に装着される記録メディア４８に適した入出力信号の受渡しを行うために所要の信号変換を行う。
【００３４】
また、デジタルカメラ１０は、パソコンその他の外部機器と接続するための通信手段としてＵＳＢインターフェース部５２を備えている。ＵＳＢケーブルを用いてデジタルカメラ１０と外部機器を接続することにより、外部機器との間でデータの受渡しが可能となる。もちろん、通信方式はＵＳＢに限らず、その他の通信方式を適用してもよい。
【００３５】
次に、デジタルカメラ１０の撮影機能について説明する。
【００３６】
モード選択スイッチ２６によって撮影モードが選択されると、カラーＣＣＤ固体撮像素子（以下ＣＣＤと記載）５４を含む撮像部に電源が供給され、静止画、動画、又は連続撮影が可能な状態になる。この後、十字キー２７によって静止画撮影、動画撮影、連続撮影（連写）のうち一つの撮影動作を選択し、メニュー／ＯＫキーを押圧操作することにより選択した撮影動作を確定する。
【００３７】
レンズ鏡胴２０は、フォーカスレンズを含む撮影レンズ１８と絞り兼用メカシャッター５６とを含む光学ユニットである。レンズ鏡胴２０は、ＣＰＵ３０によって制御されるレンズ駆動部５８、絞り駆動部６０によって電動駆動され、ズーム制御、フォーカス制御及びアイリス制御が行われる。
【００３８】
撮影レンズ１８を通過した光は、ＣＣＤ５４の受光面に結像される。ＣＣＤ５４の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ５４は、各フォトダイオードの電荷蓄積時間（シャッタースピード）を制御する電子シャッター機能を有している。ＣＰＵ３０は、タイミングジェネレータ６２を介してＣＣＤ５４での電荷蓄積時間を制御する。なお、ＣＣＤ５４に代えてＭＯＳ型など他の方式の撮像素子を用いてもよい。
【００３９】
ＣＣＤ５４の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ６２から与えられる駆動パルスに基づいて信号電荷に応じた電圧信号（画像信号）として順次読み出される。
【００４０】
ＣＣＤ５４から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ３８に記憶される。
【００４１】
画像信号処理回路７０は、メモリ３８に記憶されたＲ、Ｇ、Ｂ信号をＣＰＵ３０の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００４２】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データはＨＤＤ４０に記録される。
【００４３】
撮影画像を液晶モニタ２４にモニタ出力する場合、ＨＤＤ４０から画像データが読み出され、バス３２を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ２４に出力する。
【００４４】
撮影ボタン１６が半押しされ、Ｓ１がオンになると、デジタルカメラ１０はＡＥ及びＡＦ処理を開始する。すなわち、ＣＣＤ５４から出力された画像信号はＡ／Ｄ変換後に画像入力コントローラ６８を介してＡＦ検出回路７４並びにＡＥ／ＡＷＢ検出回路７６に入力される。
【００４５】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５４の電子シャッター及びアイリスを制御して適正な露光量を得る。
【００４６】
また、ＡＥ／ＡＷＢ検出回路７６は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４７】
デジタルカメラ１０におけるＡＦ制御は、例えば映像信号のＧ信号の高周波成分が極大になるようにフォーカシングレンズ（撮影レンズ１８を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４８】
ＡＦ検出回路７４で求めた積算値のデータはＣＰＵ３０に通知される。ＣＰＵ３０は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００４９】
撮影ボタン１６が半押しされ、Ｓ１オンによってＡＥ／ＡＦ処理が行われ、撮影ボタン１６が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ３８に格納される。
【００５０】
メモリ３８に格納されたＹ／Ｃ信号は、圧縮伸張回路７８によって所定のフォーマットに従って圧縮された後、メディアコントローラ５０を介して記録メディア４８に記録される。例えば、画像についてはＪＰＥＧ形式で記録される。
【００５１】
モード選択スイッチ２６により再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ２４に出力される。これにより、当該ファイルの画像内容が液晶モニタ２４の画面上に表示される。
【００５２】
静止画の一コマ再生中（動画の先頭フレーム再生中も含む）に、十字キーの右キー又は左キーを操作することによって、再生対象のファイルを切り替えること（順コマ送り／逆コマ送り）ができる。コマ送りされた位置の画像ファイルが記録メディア４８から読み出され、上記と同様にして静止画像や動画が液晶モニタ２４に再生表示される。なお、デジタルカメラ１０は、電源回路８０を介して供給される電池８２の電力によって駆動される。以上がデジタルカメラ１０の全体構成である。
【００５３】
図４は、沈胴時のレンズ鏡胴２０の断面図であり、図５は繰り出し時のレンズ鏡胴２０の断面図が示されている。
【００５４】
このレンズ鏡胴２０は、２段繰出し、沈胴式のレンズ鏡胴であり、カメラ本体１２に覆われた固定筒９０と、固定筒９０の外周面に回転自在に嵌挿された駆動筒９２と、固定筒９０の内周面に嵌挿されて固定筒９０に対し回転しながら繰出し、沈胴を行なうカム筒９４と、カム筒９４のカム溝９６に係合するカムフォロアーピン９８及び撮影レンズ１８を保持した前移動枠（レンズ保持枠）１００と、カム筒９４のカム溝１０２に係合するカムフォロアーピン１０４及び撮影レンズ１０６を保持した後移動枠（レンズ保持枠）１０８と、固定筒９０と一体形成されてＣＣＤ５４を保持した板状の鏡胴本体１１０とから構成されている。
【００５５】
また、ＣＣＤ５４は、ねじ１１２によって鏡胴本体１１０に固定された板ばね（押圧部材）１１４によって、ＣＣＤ基板１１６とともに鏡胴本体１１０に押圧固定されている。
【００５６】
このレンズ鏡胴２０が図４に示す沈胴状態から図５に示す繰出状態に移行するにあたっては、駆動筒９２が回転駆動されると、その回転力がカム筒９４に伝達されることによりカム筒９４が固定筒９０を残したまま回転しながら繰り出され、さらにそれと同時に、カム筒９４の中を、前移動枠１００が回転を伴なわずにカム筒９４に対しさらに繰り出される。また、これと同様に図５に示す繰出状態から図４に示す沈胴状態に移行するにあたっては、駆動筒９２が逆方向に回転駆動されることにより、カム筒９４は回転しながら固定筒９０に対し沈胴し、前移動枠１００は、回転を伴なわずにカム筒９４に対し沈胴する。
【００５７】
ところで、このレンズ鏡胴２０は、鏡胴本体１１０に形成された３カ所の孔（図４、図５では１カ所の孔のみ図示）１１８に取付ねじ１２０の胴体部が遊びを持って挿入され、この取付ねじ１２０のねじ部がカメラ本体１２のボス部１２２に、撮影光軸Ｌと平行に締結されることにより、カメラ本体１２に取り付けられている。
【００５８】
これにより、鏡胴本体１１０に組み付けられた固定筒９０、駆動筒９２、カム筒９４、前移動枠１００、及び後移動枠１０８からなるレンズ鏡胴２０は、取付ねじ１２０の胴体部に沿って撮影光軸Ｌの方向にスライド移動自在に支持される。
【００５９】
また、取付ねじ１２０は復座ばね（付勢部材）１２４を介して鏡胴本体１１０にそれぞれ挿通され、これらの復座ばね１２４の付勢力によってレンズ鏡胴２０は被写体側に向けて付勢されている。よって、復座ばね１２４の付勢力により、鏡胴本体１１０は図５の如くボス部１２２に押圧される。この状態において、カメラ本体１２の背面部１２Ａに取り付けられる液晶モニタ２４及びその基板（不図示）と鏡胴本体１１０との間に、間隙１２５が形成され、この間隙１２５が放熱用の空間として作用する。また、この状態において被写体側から矢印Ａで示す力が前移動枠１００に加わると、復座ばね１２４は、自身の付勢力に抗して図４の最も収縮した状態へａ量分変位可能なので、その力は復座ばね１２４が収縮（レンズ鏡胴２０が全体的に図５の右方に移動）することにより吸収される。なお、復座ばね１２４は、取付ねじ１２０によってボス部１２２に取り付けられることにより、レンズ鏡胴２０とカメラ本体１２との間に介在されている。
【００６０】
一方、駆動筒９２の外周面には、図６に示すように羽根状のカム（駆動部材）１２６が形成される。このカム１２６は、駆動筒９２が沈胴最終位置の近傍まで回転されると、そのテーパ面１２８が、ボス部１２２に形成されているリブ１３０のテーパ面１３２に当接する。そして、図７に示すように、駆動筒９２が沈胴終端位置に回転された際に、カム１２６がリブ１２０を乗り上げる。この乗り上げ動作によって駆動筒９２は、図５の右方向に押し込まれることになり、また、駆動筒９２が鏡胴本体１１０を押し込むことにより、レンズ鏡胴２０全体が、図４に示した沈胴位置に復座ばね１２４の付勢力に抗して押し込まれる。
【００６１】
次に、前記の如く構成されたレンズ鏡胴２０の作用について説明する。
【００６２】
図５の如く繰り出した状態にある前移動枠１００に、被写体側から矢印Ａ方向の力が加わると、復座ばね１２４が付勢力に抗して収縮することより、その力を吸収する。したがって、デジタルカメラ１０の使用状態においてレンズ鏡胴２０に加わった衝撃を吸収することができ、カム溝９６、１０２からカムフォロアーピン９８、１０４が脱落するという不具合を解消できる。
【００６３】
また、レンズ鏡胴２０が沈胴されていくと、駆動筒９２のカム１２６によってレンズ鏡胴２０全体を、復座ばね１２４の付勢力に抗して沈胴位置に押し込むようにした。これにより、レンズ鏡胴２０の押し込み量分だけ、カメラ本体１２を薄型にできるので、デジタルカメラ１０の携帯性が向上する。
【００６４】
更に、図５のカメラ使用時の繰り出し状態において、鏡胴本体と液晶モニタ２４との間に放熱用の間隙１２５を形成し、この間隙１２５を介して液晶モニタ２４、ＣＣＤ５４、及び基板等の発熱体からの熱を外部に放熱し易くしたので、レンズ鏡胴２０に対する熱の影響を無くすことができる。なお、沈胴時には前記間隙１２５は無くなるが、沈胴時はカメラ不使用時のため熱に対する問題は無い。
【００６５】
なお、図４、図５の実施の形態では、付勢部材である復座ばね１２４を取付ねじ１２０と鏡胴本体１１０との間に介在させたが、付勢部材の位置はこれに限定されるものではない。例えば、図８、図９の如く、付勢部材であるコイルスプリング１３４、１３４をカメラ本体１２の背面部１２Ａと鏡胴本体１１０との間に介在させてもよい。
【００６６】
また、図４、図５、図８、図９の実施の形態では、ＣＣＤ５４を鏡胴本体１１０に押圧固定する板ばね１１４と付勢部材である復座ばね１２４、コイルスプリング１３４を別体で構成したが、これに限定されるものではなく、図１０、図１１に示すように板ばね１１４と付勢部材１３６とを一体に形成してもよい。すなわち、図１２に示す略三角形状の一枚の板ばね部材１３８の内側に、この板ばね部材１３８を内側と外側とに二分割するようなスリット１４０、１４０、１４０を形成し、内側に位置する板ばね部材を板ばね１１４として利用し、外側に位置する板ばね部材を付勢部材１３６として利用する。このように付勢部材１３６を、板ばね１１４と一体形成することにより、部品点数、及び組立工数を削減できる。
【図面の簡単な説明】
【００６７】
【図１】実施の形態のレンズ鏡胴が搭載されたデジタルカメラを正面から見た斜視図
【図２】図１に示したデジタルカメラを背面から見た斜視図
【図３】図１に示したデジタルカメラの全体構成を示したブロック図
【図４】第１の実施の形態のレンズ鏡胴の沈胴時の断面図
【図５】図４に示したレンズ鏡胴の繰り出し時の断面図
【図６】駆動筒のカムとリブとの関係を示した説明図
【図７】駆動筒のカムがリブを乗り上げた状態を示した説明図
【図８】第２の実施の形態のレンズ鏡胴の沈胴時の断面図
【図９】図８に示したレンズ鏡胴の繰り出し時の断面図
【図１０】第３の実施の形態のレンズ鏡胴の沈胴時の断面図
【図１１】図１０に示したレンズ鏡胴の繰り出し時の断面図
【図１２】図１０、図１１に示したレンズ鏡胴の背面図
【符号の説明】
【００６８】
１０…デジタルカメラ、１２…カメラ本体、１８…撮影レンズ、２０…レンズ鏡胴、９０…固定筒、９２…駆動筒、９４…カム筒、９６…カム溝、９８…カムフォロアーピン、１００…前移動枠、１０２…カム溝、１０４…フォロアーピン、１０６…撮影レンズ、１０８…後移動枠、１１０…鏡胴本体、１１４…板ばね、１１６…ＣＣＤ基板、１２０…取付ねじ、１２２…ボス部、１２４…復座ばね、１２５…間隙、１２６…カム、１３０…リブ
【図１】
2007310073.tif 000003
【図２】
2007310073.tif 000004
【図３】
2007310073.tif 000005
【図４】
2007310073.tif 000006
【図５】
2007310073.tif 000007
【図６】
2007310073.tif 000008
【図７】
2007310073.tif 000009
【図８】
2007310073.tif 000010
【図９】
2007310073.tif 000011
【図１０】
2007310073.tif 000012
【図１１】
2007310073.tif 000013
【図１２】
2007310073.tif 000014